【事件の表示】
　特願２００８−　７９２８１「有機電界発光表示装置」拒絶査定不服審判事件〔平成２１年　７月３０日出願公開、特開２００９−１６９３７４〕について、次のとおり審決する。
【結　論】
　本件審判の請求は、成り立たない。
【理　由】
第１　手続の経緯
　本願は、平成２０年３月２５日（パリ条約による優先権主張２００８年１月１８日、韓国）の出願であって、平成２３年１月１９日付けで手続補正がなされ、同年１０月１９日付けで拒絶の理由（最後）が通知され、これに対し、平成２４年１月２５日付けで手続補正がなされたものの、同年４月２７日付けで平成２４年１月２５付けの手続補正についての補正の却下の決定がなされるとともに拒絶査定がなされた。
　本件は、これを不服として、平成２４年９月１０日に請求された拒絶査定不服審判であって、請求と同時に手続補正がなされ、その後、当審の同年１２月２０日付け審尋に対して平成２５年３月２１日に回答書が提出されたものである。 
　
第２　平成２４年９月１０日付けの手続補正についての補正の却下の決定
　［補正の却下の決定の結論］
　平成２４年９月１０日付けの手続補正（以下「本件補正」という。）を却下する。
　［理由］
１　補正の内容
　本件補正のうち、特許請求の範囲の請求項１についての補正は、補正前（平成２３年１月１９日付けで補正、以下同様。）の
「【請求項１】
　映像が表示される画素部と、該画素部の外側の少なくとも２つの縁領域に分散配置され、それぞれ少なくとも２つの方向から第１画素電源及び第２画素電源を受ける複数の第１電源パッド及び第２電源パッドとを備える有機電界発光表示パネルと、
　該有機電界発光表示パネルに電気的に接続され、前記有機電界発光表示パネルを駆動するための駆動ＩＣ（Ｉｎｔｅｇｒａｔｅｄ　Ｃｉｒｃｕｉｔ）と、前記第１電源パッド及び第２電源パッドに前記第１画素電源及び第２画素電源を伝達するための電源線とを備える複数のＴＣＰ（Ｔａｐｅ　Ｃａｒｒｉｅｒ　Ｐａｃｋａｇｅ）と、
　該ＴＣＰに電気的に接続され、前記ＴＣＰに前記駆動ＩＣを制御するための制御信号並びに前記第１画素電源及び第２画素電源を供給する駆動ボードと
　を含み、
　前記第１電源パッドは、前記有機電界発光表示パネルの第１縁領域及び該第１縁領域に対向する第２縁領域にそれぞれ形成され、
　前記第２電源パッドは、前記有機電界発光表示パネルの、前記第1縁領域及び前記第２縁領域に直交する第３縁領域及び該第３縁領域に対向する第４縁領域にそれぞれ形成されることを特徴とする有機電界発光表示装置。」を
「【請求項１】
　映像が表示される画素部と、該画素部の外側の少なくとも２つの縁領域に分散配置され、それぞれ少なくとも２つの方向から第１画素電源及び第２画素電源を受ける複数の第１電源パッド及び第２電源パッドと、前記第１電源パッド及び前記第２電源パッドとの間に夫々配置された複数の信号パッドとを備える有機電界発光表示パネルと、
　該有機電界発光表示パネルに電気的に接続され、前記有機電界発光表示パネルを駆動するための駆動ＩＣ（Ｉｎｔｅｇｒａｔｅｄ　Ｃｉｒｃｕｉｔ）と、前記第１電源パッド及び第２電源パッドに前記第１画素電源及び第２画素電源を伝達するための電源線とを備える複数のＴＣＰ（Ｔａｐｅ　Ｃａｒｒｉｅｒ　Ｐａｃｋａｇｅ）と、
　該ＴＣＰに電気的に接続され、前記ＴＣＰに前記駆動ＩＣを制御するための制御信号並びに前記第１画素電源及び第２画素電源を供給する駆動ボードと
　を含み、
　前記第１電源パッドは、前記有機電界発光表示パネルの第１縁領域及び該第１縁領域に対向する第２縁領域にそれぞれ複数個ずつ互いに独立して形成され、かつ対向する第１電源パッド同士が前記有機電界発光表示パネル上で電気的に接続され、
　前記第２電源パッドは、前記有機電界発光表示パネルの、前記第１縁領域及び前記第２縁領域に直交する第３縁領域及び該第３縁領域に対向する第４縁領域にそれぞれ複数個ずつ互いに独立して形成され、かつ対向する第２電源パッド同士が前記有機電界発光表示パネル上で電気的に接続され、
　前記ＴＣＰは、前記第１電源パッド及び第２電源パッドのうち少なくとも一つと前記信号パッドに電気的に連結された第１パッド部と、前記駆動ボードに電気的に連結された第２パッド部と、を含み、
　前記第１パッド部の少なくとも一端に位置するパッドと前記第２パッド部の少なくとも一端に位置するパッドは、前記電源線によって互いに連結される
　ことを特徴とする有機電界発光表示装置。」と補正するものである。
　
　上記補正は、補正前の発明特定事項である「有機電界発光表示パネル」に関し、「第１電源パッド及び前記第２電源パッドとの間に夫々配置された複数の信号パッド」を備える構成を追加する補正（以下「補正事項１」という。）、補正前の発明特定事項である「有機電界発光表示パネルの第１縁領域及び該第１縁領域に対向する第２縁領域にそれぞれ」「形成され」た「第１電源パッド」に関し、「複数個ずつ互いに独立して」いる構成を追加する補正（以下「補正事項２」という。）、補正前の発明特定事項である「第１電源パッド」に関し、「対向する第１電源パッド同士が前記有機電界発光表示パネル上で電気的に接続され」る構成を追加する補正（以下「補正事項３」という。）、補正前の発明特定事項である「有機電界発光表示パネルの、前記第１縁領域及び前記第２縁領域に直交する第３縁領域及び該第３縁領域に対向する第４縁領域にそれぞれ」「形成され」た「第２電源パッド」に関し、「複数個ずつ互いに独立して」いる構成を追加する補正（以下「補正事項４」という。）、補正前の発明特定事項である「第２電源パッド」に関し、「対向する第２電源パッド同士が前記有機電界発光表示パネル上で電気的に接続され」る構成を追加する補正（以下「補正事項５」という。）、及び、補正前の発明特定事項である「ＴＣＰ」に関し、「第１電源パッド及び第２電源パッドのうち少なくとも一つと前記信号パッドに電気的に連結された第１パッド部と、前記駆動ボードに電気的に連結された第２パッド部と、を含み、前記第１パッド部の少なくとも一端に位置するパッドと前記第２パッド部の少なくとも一端に位置するパッドは、前記電源線によって互いに連結される」構成を追加する補正（以下「補正事項６」という。）を含むものである。
　
２　新規事項の追加についての検討
　ここで、上記補正事項３及び補正事項５が、願書に最初に添付された明細書、特許請求の範囲又は図面（以下「当初明細書」という。）に記載した事項の範囲内において補正したものか否かを検討する。
　上記補正事項３に関し、当初明細書には、「第１電源パッドＰＥＬＶＤＤは、有機電界発光表示パネル３００において、互いに対向する第１縁領域３００ａ及び第２縁領域３００ｂにそれぞれ複数個ずつ形成され得る。これにより、第１電源パッドＰＥＬＶＤＤは、両方向から第１画素電源ＥＬＶＤＤを受け、これを画素部３１０に伝達することができる。」（【００４４】）、「有機電界発光表示パネル３００の第１電源パッドＰＥＬＶＤＤ及び第２電源パッドＰＥＬＶＳＳを少なくとも２つの縁領域に分散配置する。そして、第１画素電源ＥＬＶＤＤ及び第２画素電源ＥＬＶＳＳのそれぞれが、少なくとも両方向から有機電界発光表示パネル３００に供給されるようになる。」（【００６０】）と記載されており、技術常識を考慮すると、「対向する第１電源パッド同士が」「電気的に接続され」ていることが推察できる。
　しかしながら、この「接続」が有機電界発光表示パネル上で行われているのか、有機電界発光表示パネル外で行われているのかは、当初明細書に何ら記載されていないし、当初明細書の全ての記載を総合することにより導かれる技術的事項ともいえないから、上記補正事項３は、当初明細書の記載に基づいて補正したものとはいえない。
　また、同様に、上記補正事項５に関連する事項が、当初明細書【００４５】、【００６０】に記載されているものの、上記補正事項５は、これらの記載または当初明細書の全ての記載を総合することにより導かれる技術的事項に基づいて補正したものであるとはいえない。
　したがって、上記補正事項３及び補正事項５は、願書に最初に添付した明細書、特許請求の範囲又は図面に記載した事項の範囲内において補正したものではない。
　
３　本件補正についての補正の却下の決定のむすび
　以上のとおり、本件補正は、特許法第１７条の２第３項の規定に違反するものであるから、同法第１５９条第１項において読み替えて準用する同法第５３条第１項の規定により却下すべきものである。
　
第３　本願発明について
１　本願発明
　平成２４年９月１０日付けの手続補正は、上記のとおり却下されたので、本願の請求項１に係る発明（以下「本願発明」という。）は、平成２３年１月１９日付け手続補正によって補正された特許請求の範囲の請求項１に記載されたとおりのものである。（上記「第２」［理由］「１」参照。）
　
２　引用刊行物
（１）引用刊行物１
　これに対して、原査定における拒絶の理由で引用した、本願の優先日前である平成１７年７月１４日に頒布された「特開２００５−１８９６７６号公報 」（以下「引用例１」という。）には、次の事項が記載されている。ただし、下線は当審で付した。
ａ　発明の詳細な説明の記載
「【０００１】
　本発明は、ディスプレイ装置に関し、例えば
有機ＥＬ（Electro Luminescence）素子によるディスプレイ装置
「【００１９】
　以下、適宜図面を参照しながら本発明の実施例を詳述する。
【実施例１】
【００２０】
　（１）実施例の構成
　図１は、図５との対比により本発明の実施例１に係るディスプレイ装置を示す分解斜視図である。このディスプレイ装置４１において、図５について上述したディスプレイ装置１１と同一の構成は対応する符号を付して示し、重複した説明は省略する。
【００２１】
　この
ディスプレイ装置４１は、
有機ＥＬ素子による画素がマトリックス状に配置されて画素部が形成され
【００２２】
　このためディスプレイ装置４１は、この矩形の領域ＡＲに各画素の画素回路、この画素回路に係る走査線、信号線が形成された後、絶縁層による平坦化膜１４、アノードレイヤーの配線層１５が形成され、このアノードレイヤーの配線層１５により駆動用トランジスタＴＲ２を有機ＥＬ素子５のアノードに接続する電極１６が形成される（図４）。またディスプレイ装置４１は、続いて有機ＥＬ素子５の材料層が形成された後、有機ＥＬ素子５のカソード電極の配線パターン１７、封止部材が設けられる。
【００２３】
　このようにして作成したディスプレイ装置４１において、アノードレイヤーの配線層１５は、画素部となる矩形の領域を囲むように、幅広の配線パターン４５が形成され、破線により示すように、カソード電極の配線パターン１７の周囲がこの幅広の配線パターン４５に接続される。またこの配線パターン４５がこのディスプレイ装置４１の短辺側、対向する２辺にそれぞれ形成された外部接続用の電極であるカソード用のパッド４３Ａ〜４３Ｄに接続され、これらにより低抵抗であるアノードレイヤーの配線層１５を介してカソード電極の配線パターン１７がカソード電源に接続される。なおこの
カソード電源用のパッド４３Ａ〜４３Ｄにあっては、両短辺の上下にそれぞれ設けられ
【００２４】
　またアノードレイヤーの配線層１５は、このカソード電極の配線パターン１７に係る配線パターン４５の上下、このディスプレイ装置４１の長辺に沿って、１組の幅広による配線パターン４６Ａ、４６Ｂが形成され、この幅広の配線パターン４６Ａ、４６Ｂがディスプレイ装置４１の上下の長辺に形成された
外部接続用の電極である電源用のパッド４４Ａ及び４４Ｂ、４４Ｃ及び４４Ｄに接続される。なおこの電源用のパッド４４Ａ及び４４Ｂ、４４Ｃ及び４４Ｄにあっても、両長辺の両端にそれぞれ設けられ
【００２５】
　ディスプレイ装置４１は、平坦化膜１４の下層において、このディスプレイ装置４１による表示画面の上下方向に画素部となる領域ＡＲを横切るように、また水平方向に連続する画素毎に、アルミニウムにより電源Ｖｃｃの画素部に係る配線パターン１３が形成される。ここでこの電源Ｖｃｃの画素部に係る配線パターン１３は、画素部となる領域ＡＲの上下で、このディスプレイ装置４１の長辺に沿って延長する幅広の配線パターン４８Ａ、４８Ｂに接続され、破線により示すように、この配線パターン４８Ａ、４８Ｂの長手方向に連続するように形成された複数の電極４９を介して、アノードレイヤーの配線層１５に形成された幅広の配線パターン４６Ａ、４６Ｂに接続される。
【００２６】
　これによりディスプレイ装置４１では、アノードレイヤーの配線層１５に形成された幅広の配線パターン４６Ａ、４６Ｂに、配線パターン４８Ａ、４８Ｂに形成された複数の電極４９に対応する接続用の部位である電極５０が形成されるようになされている。
【００２７】
　このディスプレイ装置４１において、画素部を囲むように形成される配線パターン４５は、符号Ａ及びＢにより示す部分を拡大して図２に示すように、長辺側の略中央の部位において、これら複数の電極５０と入れ子となるように電極５１が形成され、この電極５１を介して外部接続用の端子であるパッド４２Ａ〜４２Ｄに接続される。なおこの図２においては、図１において正面側の部位のみを示すが、図１において背面側の部位においても、同様に構成される。
【００２８】
　すなわち配線パターン４６Ａ、４６Ｂは、内側の辺に沿って、電極５０が所定ピッチにより形成される。配線パターン４５は、長辺側のほぼ中央の部位において、これら連続する電極５０の間を通って外側に延長するように形成され、この延長した先端に電極５１が形成され、配線パターン４６Ａ、４６Ｂにおいては、この電極５１の外側にて、これら中央の部位の連続する電極５０が相互に接続されるようになされている。
【００２９】
　ディスプレイ装置４１は、アノードレイヤーの配線層１５の下層の配線パターン層において、これら電極５１に対応する部位に配線パターン５２が形成され、この配線パターン５２に形成された電極５３により、矢印に示すように、この配線パターン５２が配線パターン４５に接続される。またこの配線パターン５２が、信号線用、走査線用のパッド４２Ａ〜４２Ｄの内側の３つの電極に接続され、これらにより画素部を囲むように形成される配線パターン４５が、電極５１を介して外部接続用の端子であるパッド４２Ａ〜４２Ｄに接続されるようになされている。
【００３０】
　これらによりこの実施例において、配線パターン４５は、画素部を囲むようにアノードレイヤーの配線層による第１の配線パターン層に設けられて、画素部の各画素に接続され、対向する２つの辺に外部接続用の電極が設けられた第１の配線パターンを構成するようになされている。また配線パターン４８Ａ、４８Ｂは、この第１の配線パターン層とは異なる第２の配線パターン層に、配線パターン４５に係る対向する２つの辺とは異なる２辺に沿ってそれぞれ延長するように形成された１対の配線パターン部により形成され、各画素に接続された第２の配線パターンを形成するようになされている。また配線パターン４６Ａ、４６Ｂは、第１の配線パターン層に、先の異なる２辺に沿ってそれぞれ延長するように形成された１対の配線パターン部により形成され、該延長する方向に順次形成された複数の接続用の部位である電極５０を介して第２の配線パターン４８Ａ、４８Ｂの対応する配線パターン部に接続され、異なる２辺にそれぞれ外部接続用の電極が設けられてなる第３の配線パターンを構成するようになされている。
【００３１】
　（２）実施例の動作
  以上の構成において、このディスプレイ装置４１では、周囲に形成されたパッド４２Ａ〜４２Ｄ、４３Ａ〜４３Ｄ、４４Ａ〜４４Ｄが電源、駆動回路等に接続されて所望の画像が画素部で表示される。すなわちディスプレイ装置４１では、これらパッド４２Ａ〜４２Ｄ、４３Ａ〜４３Ｄ、４４Ａ〜４４Ｄのうち、
長辺側の両端に設けられたパッド４４Ａ〜４４Ｄが電源Ｖｃｃ用に割り当てられ
【００３２】
　ディスプレイ装置４１では、このようにして各画素を駆動するにつき、長辺側の両端に設けられたパッド４４Ａ〜４４Ｄより供給される電源Ｖｃｃが、このパッド４４Ａ〜４４Ｄよりアノードレイヤーの配線層１５に形成された配線パターン４６Ａ、４６Ｂに供給され、さらにこの配線パターン４６Ａ、４６Ｂに設けられた電極５０を介して下層の配線パターン層に形成された配線パターン４８Ａ、４８Ｂに供給され、この配線パターン４８Ａ、４８Ｂから画素部を横切って上下方向に延長する配線パターン１３を介して各画素に供給される。」
　
ｂ　図面の記載
「【図１】
　　　　　　　　　　　　　　　　　　　　　　　　　　」
「【図２】
　　　　　　　　　　　　　　　　　　　　　　　　　　」
　
ｃ　引用例１記載の発明
　上記ａ及びｂの記載事項によると、引用例１には、以下の発明（以下「引用発明」という。）が記載されていると認められる。
「ディスプレイ装置４１は、有機ＥＬ素子による画素がマトリックス状に配置されて画素部が形成され、
カソード電源用のパッド４３Ａ〜４３Ｄがディスプレイ装置４１の両短辺の上下にそれぞれ設けられ、
外部接続用の電極である電源Ｖｃｃ用のパッド４４Ａ〜４４Ｄは、ディスプレイ装置４１の両長辺の両端にそれぞれ設けられた
有機ＥＬ素子によるディスプレイ装置。」
　
３　本願発明と引用発明との対比
　ここで、本願発明と引用発明とを対比する。
（１）引用発明の「ディスプレイ装置４１は、有機ＥＬ素子による画素がマトリックス状に配置されて画素部が形成され」る構成は、本願発明の「映像が表示される画素部」「を備える」構成に相当する。
　
（２）引用発明の「カソード電源」、「電源Ｖｃｃ」、「カソード電源用のパッド４３Ａ〜４３Ｄ」、「電源Ｖｃｃ用のパッド４４Ａ〜４４Ｄ」、「ディスプレイ装置４１の両短辺」、「ディスプレイ装置４１の両長辺」及び「ディスプレイ装置４１」は、それぞれ本願発明の「第１画素電源」、「第２画素電源」、「第１電源パッド」、「第２電源パッド」、「有機電界発光表示パネルの第１縁領域及び該第１縁領域に対向する第２縁領域」、「有機電界発光表示パネルの、前記第１縁領域及び前記第２縁領域に直交する第３縁領域及び該第３縁領域に対向する第４縁領域」及び「有機電界発光表示パネル」に相当する。
　そうすると、引用発明の「カソード電源用のパッド４３Ａ〜４３Ｄがディスプレイ装置４１の両短辺の上下にそれぞれ設けられ」る構成は、本願発明の「画素部の外側の少なくとも２つの縁領域に分散配置され、」「少なくとも２つの方向から第１画素電源」「を受ける複数の第１電源パッド」「を備える有機電界発光表示パネル」「を含み」、「第１電源パッドは、前記有機電界発光表示パネルの第１縁領域及び該第１縁領域に対向する第２縁領域にそれぞれ形成され」る構成に相当する。
　
（３）引用発明の「外部接続用の電極である電源Ｖｃｃ用のパッド４４Ａ〜４４Ｄは、ディスプレイ装置４１の両長辺の両端にそれぞれ設けられた」構成は、本願発明の「画素部の外側の少なくとも２つの縁領域に分散配置され、」「少なくとも２つの方向から」「第２画素電源を受ける複数の」「第２電源パッドとを備える有機電界発光表示パネル」「を含み」、「第２電源パッドは、前記有機電界発光表示パネルの、前記第1縁領域及び前記第２縁領域に直交する第３縁領域及び該第３縁領域に対向する第４縁領域にそれぞれ形成される」構成に相当する。
　
（４）引用発明の「有機ＥＬ素子によるディスプレイ装置」は、本願発明の「有機電界発光表示装置」に相当する。
　
　上記（１）〜（４）の点から、本願発明と引用発明は、
「映像が表示される画素部と、該画素部の外側の少なくとも２つの縁領域に分散配置され、それぞれ少なくとも２つの方向から第１画素電源及び第２画素電源を受ける複数の第１電源パッド及び第２電源パッドとを備える有機電界発光表示パネル
　を含み、
　前記第１電源パッドは、前記有機電界発光表示パネルの第１縁領域及び該第１縁領域に対向する第２縁領域にそれぞれ形成され、
　前記第２電源パッドは、前記有機電界発光表示パネルの、前記第1縁領域及び前記第２縁領域に直交する第３縁領域及び該第３縁領域に対向する第４縁領域にそれぞれ形成されることを特徴とする有機電界発光表示装置。」
で一致し、以下の点で相違する。
　
（相違点）
　本願発明は、有機電界発光表示パネルに電気的に接続され、有機電界発光表示パネルを駆動するための駆動ＩＣと、第１電源パッド及び第２電源パッドに第１画素電源及び第２画素電源を伝達するための電源線とを備える複数のＴＣＰと、ＴＣＰに電気的に接続され、前記ＴＣＰに駆動ＩＣを制御するための制御信号並びに第１画素電源及び第２画素電源を供給する駆動ボードとを含むのに対し、引用発明は、そのような特定がない点。
　
４　当審の判断
　以下、上記相違点について検討する。
　有機電界発光表示装置において、表示パネルに電気的に接続し、表示パネルの駆動ＩＣを備えたＴＣＰを設け、ＴＣＰに接続する駆動ボードを設けることは、周知技術（例えば、特開２００６−３９５４１号公報の【０００１】、【００１５】、【００３８】、【００４５】、図１、国際公開第２００７／１４２０６５号の［００２０］、［００２８］、［００３２］、図１、特開２００４−６１９７０号公報の【００１１】、図１参照。）である。
　そして、技術常識からみて、ＴＣＰを用いて表示パネルを駆動させるためには、駆動ボードからＴＣＰを介して表示パネルに対し、何らかの手段で電源及び制御信号を供給しなければならないのは当然であるから、上記周知技術において、駆動ボードはＴＣＰに対し駆動ＩＣを制御するための制御信号及び電源を供給し、さらに、表示パネルに接続されるＴＣＰが表示パネルに供給する電源を送るための電源線を備えていることは自明である。
　また、引用例１には、信号線用、走査線用のパッド４２Ａ〜４２Ｄの一部にカソード電源用の配線パターン４５を接続すること、すなわち一つのパッドで電源用パッド及び信号線・走査線用のパッドを兼用して用いることが記載（引用例１の【００２３】、【００２９】、図１、２参照。）されており、さらに、有機電界発光表示装置において、走査線及び信号線に接続する駆動ＩＣを表示パネルの四方に設けることも周知技術（例えば、特開２００４−６３１４号公報の【０００１】、【００２６】、【００２８】、図１〜４、特開２００５−２７４９３２号公報の【００１２】、【００３７】、図１、特開２００３−２９７２２号公報の【００６２】、【００６３】、図２参照。）である。
　してみると、引用発明において、上記周知技術を採用し、カソード電源用のパッド４３Ａ〜４３Ｄ、及び、電源Ｖｃｃ用のパッド４４Ａ〜４４Ｄに対し、カソード電源及び電源Ｖｃｃを伝達するための電源線、並びに、ディスプレイ装置４１を駆動させる駆動ＩＣを備えた複数のＴＣＰをディスプレイ装置４１に接続させ、さらに、ＴＣＰに駆動ＩＣを制御するための制御信号並びに第１画素電源及び第２画素電源を供給する駆動ボードを設けて、上記相違点に係る本願発明の発明特定事項を得ることは、当業者が容易になしえたことである。
　
　相違点については上記のとおりであり、本願発明によってもたらされる効果は、引用発明及び周知技術から当業者が当然に予測できる範囲内のものと認められる。
　よって、本願発明は、引用発明及び周知技術に基いて、当業者が容易に発明をすることができたものであるから、特許法第２９条第２項の規定により特許出願の際独立して特許を受けることができない。
　
５　むすび
　以上のとおり、本願発明は、引用発明及び周知技術に基いて、当業者が容易に発明をすることができたものであるから、特許法第２９条第２項の規定により特許を受けることができない。
　したがって、その余の請求項に係る発明について言及するまでもなく、本願は拒絶すべきものである。
　よって、結論のとおり審決する。